(57)【特許請求の範囲】
【請求項１】
印刷配線板の一方の主面に電子部品が実装され、該電子部品を封止する所定形状の樹脂層を有し、前記印刷配線板の他方の主面に端子電極を備えてなるハイブリッドモジュールを主装置に接続するハイブリッドモジュール用接続アダプタであって、
所定深さを有する凹部の長方形をなす底面に対して前記ハイブリッドモジュールの他方の主面が対向するように前記凹部内に前記ハイブリッドモジュールが装着されるモジュール装着部と、
前記底面に沿って前記凹部内の第１側壁に並べて設けられ、前記凹部内と外部とを連通する複数の第１貫通孔と、
前記第１側壁に対向する凹部内の第２側壁に前記複数の第１貫通孔のそれぞれに対向して設けられた複数の係止部とを有する筐体と、
前記第１貫通孔のうちの所定の貫通孔に着脱可能に一端側から挿入されていると共に一端が前記係止部に係止され且つ互いに絶縁されている帯状金属片からなる複数の接続電極とを備え、
前記複数の接続電極のうちの少なくとも１つ以上の接続電極に対応して前記凹部の底面に前記凹部内と外部とを連通する所定面積の開口部が形成され、該開口部を介して前記接続電極の一部が筐体外部に露出されている
ことを特徴とするハイブリッドモジュール用接続アダプタ。
【請求項２】
前記接続電極の他端部が所定長さだけ前記筐体から外部に突出していることを特徴とする請求項１に記載のハイブリッドモジュール用接続アダプタ。
【請求項３】
前記第１側壁に隣接する２つの凹部側壁のうちの少なくとも何れか一方に、
前記凹部底面に沿って前記第１側壁から前記第２側壁まで延びる開口を有し且つ前記凹部内と外部とを連通する第２貫通孔と、
前記第２貫通孔の両端に対応して前記第１及び第２側壁のそれぞれに設けられた案内溝と、
挿入部分が前記第２貫通孔に着脱可能に挿入されていると共に前記挿入部分の両側縁部が前記案内溝に係止されている板状の接続電極とを備えている
ことを特徴とする請求項１に記載のハイブリッドモジュール用接続アダプタ。
【請求項４】
前記第１側壁の端部から前記第１側壁に隣接する凹部側壁にかけて前記凹部底面に沿って連続し、凹部内と外部とを連通するように設けられた第３貫通孔と、
前記第３貫通孔の前記第１側壁の部分に対向して前記第２側壁に設けられた係止部と、
前記第３貫通孔に着脱可能に挿入されている板状の接続電極とを備え、
該接続電極は、前記係止部に係止される部分と、前記凹部内に露出する部分と、前記第３貫通孔内部に位置する部分とを有する
ことを特徴とする請求項１に記載のハイブリッドモジュール用接続アダプタ。
【請求項５】
前記第３貫通孔に挿入される接続電極は、前記第１側壁側の外部に突出する第１突出部と前記第１側壁に隣接する側壁側に突出する第２突出部のうちの少なくとも何れか一方を有する
ことを特徴とする請求項４に記載のハイブリッドモジュール用接続アダプタ。
【請求項６】
前記筐体は、前記ハイブリッドモジュールを前記モジュール装着部に装着するときのための案内用突起或いは前記凹部内に形成された案内用溝のうちの少なくともいずれか一方を有する
ことを特徴とする請求項１に記載のハイブリッドモジュール用接続アダプタ。
【発明の詳細な説明】
【０００１】
【発明の属する技術分野】
本発明は、ハイブリッドモジュール用接続アダプタに関し、特に主装置との接続のための端子電極の配置を最小限の変更で容易に実現可能なハイブリッドモジュール用接続アダプタに関するものである。
【０００２】
【従来の技術】
近年、携帯電話が急速に普及し、その種類も多種多様にわたっている。これに伴い、携帯電話に実装される電池パックも携帯電話の種類に応じて様々変化し、携帯電話との間の接続端子の形状及びその配置などの異なる多種の電池パックが生産されている。
【０００３】
この種の第１従来例の電池パックを図２に示す。図において２０は電池パックで、ケーシング２１の内部に電池セル２２と、電池保護モジュール２３、端子台２４が収納されて構成されている。
【０００４】
電池保護モジュール２３は、印刷配線板231上に電池保護回路を構成する電子部品232が実装され、印刷配線板231の所定位置に設けられたセル用接続端子233a,233bを介して電池セル２２の正極及び負極に接続されている。さらに、電池保護モジュール２３の印刷配線板231には端子台２４が装着され、該端子台２４に設けられた複数の外部端子電極241が、ケーシング２１に設けられた開口部211を介して外部に露出されている。
【０００５】
また、図３に示す第２従来例のように、端子台２４からやや湾曲して突出した帯状の金属片からなる外部端子電極234を設けると共に、外部端子電極234の湾曲に対応して開口部212の形成面がなだらかに湾曲し、開口部212の両側に補強材を兼ねた仕切板213が設けられているケーシング２１ａと、外部端子電極234に対向する部分に段差を有し、外部端子電極234のそれぞれに対向して開口部214を有するケーシング２１ｂを備えた電池パック２０Ｂなども存在する。
【０００６】
上記構成の電池パック２０Ｂでは、外部端子電極234は一方のケーシング２１ａに設けられた開口部212から外部に露出すると共に他方のケーシング１２ｂに設けられた開口部214からも外部に露出する。ここで開口部212は外部充電器を使用する際の充電器と外部端子電極234を接続するために用いられる。また、開口部214は、図４に示すように、携帯電話機などの主装置２６に電池パック２０Ｂを装着したときに主装置２６の接続端子261と外部端子電極234とを接続するために用いられる。
【０００７】
上記２つの従来例の他にも外部端子電極の装着位置や形状が異なる電池保護モジュールを用いた電池パックが複数種存在する。
【０００８】
【発明が解決しようとする課題】
しかしながら、前述したように異なる多種の電池パックが存在するため、種類毎に外部端子電極の形状や露出位置が異なるので、種類毎に電池保護モジュール２３を設計して製造しなければならなかった。このため、電池保護モジュール及び主装置となる電池パックの製造及びその管理が煩雑になると共に製造コストの削減に限界があった。
【０００９】
本発明の目的は上記の問題点に鑑み、ハイブリッドモジュールの設計変更を行うことなく主装置との接続のための接続電極の配置を変更できるハイブリッドモジュール用接続アダプタを提供することである。
【００１０】
【課題を解決するための手段】
本発明は上記の目的を達成するために請求項１では、印刷配線板の一方の主面に電子部品が実装され、該電子部品を封止する所定形状の樹脂層を有し、前記印刷配線板の他方の主面に端子電極を備えてなるハイブリッドモジュールを主装置に接続するハイブリッドモジュール用接続アダプタであって、所定深さを有する凹部の長方形をなす底面に対して前記ハイブリッドモジュールの他方の主面が対向するように前記凹部内に前記ハイブリッドモジュールが装着されるモジュール装着部と、前記底面に沿って前記凹部内の第１側壁に並べて設けられ、前記凹部内と外部とを連通する複数の第１貫通孔と、前記第１側壁に対向する凹部内の第２側壁に前記複数の第１貫通孔のそれぞれに対向して設けられた複数の係止部とを有する筐体と、前記第１貫通孔のうちの所定の貫通孔に着脱可能に一端側から挿入されていると共に一端が前記係止部に係止され且つ互いに絶縁されている帯状金属片からなる複数の接続電極とを備え、前記複数の接続電極のうちの少なくとも１つ以上の接続電極に対応して前記凹部の底面に前記凹部内と外部とを連通する所定面積の開口部が形成され、該開口部を介して前記接続電極の一部が筐体外部に露出されているハイブリッドモジュール用接続アダプタを提案する。
【００１１】
該ハイブリッドモジュール用接続アダプタによれば、前記モジュール装着部に装着されるハイブリッドモジュールに設けられている端子電極の位置に対応する位置の第１貫通孔に前記接続電極が挿入されて、該接続電極の一端は前記係止部に係止される。この状態で前記モジュール装着部にハイブリッドモジュールが挿入されて、前記接続電極と前記端子電極とが導電接続され、前記接続電極を介して前記端子電極が前記主装置に接続される。また、前記接続電極の長さを変えることにより、前記接続電極が前記第１貫通孔から外部に突出しないアダプタを構成したり、或いは前記筐体の外側面側に前記第１貫通孔から所定の長さだけ接続電極が外部に突出したアダプタを構成することができる。これにより、主装置との接続構成が変わっても同一のハイブリッドモジュールを用い、前記接続電極の装着位置や前記接続電極の長さ或いは形状を変えることによって対応可能となる。
【００１２】
さらに、前記複数の接続電極のうちの少なくとも１つ以上の接続電極に対応して前記凹部の底面に前記凹部内と外部とを連通する所定面積の開口部が形成され、該開口部を介して前記接続電極の一部が筐体外部に露出されているので、前記開口部から露出した部分の接続電極によって外部装置との接続を行うことが可能となる。
【００１３】
さらにまた、前記接続電極が帯状金属片からなるので、前記接続電極の主面が前記凹部内底面に当接するように配置することにより接続電極と前記ハイブリッドモジュールの端子電極との対向面積が増大し、これらの間の導通接続を容易に行うことができる。
【００１４】
また、請求項２では、請求項１に記載のハイブリッドモジュール用接続アダプタにおいて、前記接続電極の他端部が所定長さだけ前記筐体から外部に突出しているハイブリッドモジュール用接続アダプタを提案する。
【００１５】
該ハイブリッドモジュール用接続アダプタによれば、前記接続電極の他端部が所定長さだけ前記筐体の第１貫通孔から外部に突出しているので、前記接続電極の前記開口部から露出された部分或いは前記第１貫通孔から外部に突出した部分を介して主装置と導電接続することができる。
【００１６】
また、請求項３では、請求項１に記載のハイブリッドモジュール用接続アダプタにおいて、前記第１側壁に隣接する２つの凹部側壁のうちの少なくとも何れか一方に、前記凹部底面に沿って前記第１側壁から前記第２側壁まで延びる開口を有し且つ前記凹部内と外部とを連通する第２貫通孔と、前記第２貫通孔の両端に対応して前記第１及び第２側壁のそれぞれに設けられた案内溝と、挿入部分が前記第２貫通孔に着脱可能に挿入されていると共に前記挿入部分の両側縁部が前記案内溝に係止されている板状の接続電極とを備えているハイブリッドモジュール用接続アダプタを提案する。
【００１７】
該ハイブリッドモジュール用接続アダプタによれば、前記第１側壁に隣接する側壁に凹部内と外部とを連通する第２貫通孔が設けられ、該第２貫通孔に外部から接続電極が挿入され、前記凹部内においては前記接続電極の挿入部の両側縁部が前記案内溝によって係止されると共に前記接続電極の挿入部が凹部内に露出される。前記モジュール装着部にハイブリッドモジュールが装着されると、前記接続電極の前記凹部内に露出した部分にハイブリッドモジュールの端子電極が導電接続され、該接続電極を介して主装置に導電接続可能となる。
【００１８】
また、請求項４では、請求項１に記載のハイブリッドモジュール用接続アダプタにおいて、前記第１側壁の端部から前記第１側壁に隣接する凹部側壁にかけて前記凹部底面に沿って連続し、凹部内と外部とを連通するように設けられた第３貫通孔と、前記第３貫通孔の前記第１側壁の部分に対向して前記第２側壁に設けられた係止部と、前記第３貫通孔に着脱可能に挿入されている板状の接続電極とを備え、該接続電極は、前記係止部に係止される部分と、前記凹部内に露出する部分と、前記第３貫通孔内部に位置する部分とを有するハイブリッドモジュール用接続アダプタを提案する。
【００１９】
該ハイブリッドモジュール用接続アダプタによれば、前記第３貫通孔に挿入された接続電極は前記係止部によって係止されると共に前記第３貫通孔によって支持された状態で一部が前記凹部内に露出され、該露出された部分に前記ハイブリッドモジュールの端子電極が導電接続され、該接続電極を介して前記端子電極が主装置と接続可能となる。
【００２０】
また、請求項５では、請求項４に記載のハイブリッドモジュール用接続アダプタにおいて、前記第３貫通孔に挿入される接続電極は、前記第１側壁側の外部に突出する第１突出部と前記第１側壁に隣接する側壁側に突出する第２突出部のうちの少なくとも何れか一方を有するハイブリッドモジュール用接続アダプタを提案する。
【００２１】
該ハイブリッドモジュール用接続アダプタによれば、前記第３貫通孔に挿入される接続電極に対応する前記開口部を形成しない場合に、前記第１突出部或いは第２突出部を介して前記端子電極が主装置と接続可能となる。
【００２２】
また、請求項６では、請求項１に記載のハイブリッドモジュール用接続アダプタにおいて、前記筐体は、前記ハイブリッドモジュールを前記モジュール装着部に装着するときのための案内用突起或いは前記凹部内に形成された案内用溝のうちの少なくともいずれか一方を有するハイブリッドモジュール用接続アダプタを提案する。
【００２３】
該ハイブリッドモジュール用接続アダプタによれば、前記案内用突起或いは案内用溝に対応する案内用溝或いは案内用突起をハイブリッドモジュールに形成しておくことにより、前記モジュール装着部にハイブリッドモジュールを装着する際の誤装着を防止可能となる。
【００２４】
【発明の実施の形態】
以下、図面に基づいて本発明の一実施形態を説明する。
【００２５】
図１は本発明の第１実施形態における電池パックを示す分解斜視図、図５は第１実施形態におけるハイブリッドモジュール用接続アダプタを底面側から見た外観斜視図、図６は第１実施形態におけるハイブリッドモジュール用接続アダプタを凹部側から見た分解斜視図である。
【００２６】
図１において、１０は電池パックで、ケーシング１１ａ，１１ｂの内部に電池セル１２と、ハイブリッドモジュール用接続アダプタ（以下、単に接続アダプタと称する）３０、及び接続アダプタ３０の凹部内に挿入されている電池保護モジュール４０を備えている。
【００２７】
接続アダプタ３０は、電池保護モジュール４０を装着する凹部が形成された樹脂製の筐体３１と、該凹部内に装着された電池保護モジュール４０の端子電極に導電接続された接続電極３２ａ，３２ｂ，３３を備えている。接続電極３２ａ，３２ｂは筐体３１の長さ方向の両端から筐体３１の外部に突出し、複数の接続電極３３は筐体３１に形成された開口部を介して外部に露出されている。
【００２８】
また、接続アダプタ３０は、ケーシング１１ａに設けられた外部端子電極露出用の開口部111に接続電極３３が隣接するように配置された状態で、筐体３１の両端に突出した接続電極３２ａ，３２ｂのそれぞれに金属片１３ａ，１３ｂが溶接され、該金属片１３ａ，１３ｂによって電池セル１２の正極端子及び負極端子に導電接続されている。
【００２９】
上記接続アダプタ３０は、図５及び図６に示すように、筐体３１と、筐体３１に着脱可能に装着された接続電極３２ａ，３２ｂ，３３とから構成されている。
【００３０】
筐体３１は、直方体形状をなす電池保護モジュール４０の端子電極形成面に対応した長方形の底面311aと、底面311aの周囲に底面311aに対して直角に立設された第１乃至第４側壁311b〜311eとから構成されている。これにより、筐体３１には第１乃至第４側壁311b〜311eによって電池保護モジュール４０を装着するための凹部が形成されている。
【００３１】
筐体３１の第１側壁311bには接続電極３３を挿入するための第１貫通孔312が５つ形成されている。これらの第１貫通孔312の開口部は接続電極３３が嵌入可能な長方形をなし、板状の接続電極３３の一方の主面が底面311aに当接するように底面311aに沿って形成されている。また、第１貫通孔312のそれぞれは、電池保護モジュール４０の端子電極406の位置に対応する位置に設けられている。
【００３２】
さらに、第１側壁311bに対向する第２側壁311cには、上記５つの第１貫通孔312のそれぞれに対向する位置に貫通孔313が設けられており、これらの貫通孔313の第１貫通孔312と同様に接続電極３３が嵌入可能な長方形の開口を有している。これらの貫通孔313は接続電極３３の端部を係止する係止部として作用させるものであるので、貫通孔に限らず、貫通していない凹部であっても良い。
【００３３】
筐体３１の底面311aには、５つの第１貫通孔312のうちの両端の２つを除く３つの第１貫通孔312のそれぞれに対応して開口部315が形成されている。これらの開口部315を介して、筐体３１に装着された接続電極３３が外部に露出されている。尚、本実施形態では上記３つの第１貫通孔312に対応する３つの開口部315のみを設けたが、全ての第１貫通孔312のそれぞれに対応して開口部315を設けても良い。
【００３４】
筐体３１の第３及び第４側壁311d,311eは、第１及び第２側壁311b,311cよりも大きい高さを有し、その底面311a側の厚さは上部の厚さよりも厚く形成されている。さらに、第３及び第４側壁311d,311eには、第１及び第２側壁311b,311cの両端部にかかるように突出した部分を有し、これにより電池保護モジュールを４０の装着時にモジュール４０を凹部内に案内できるようになっている。
【００３５】
また、第３及び第４側壁の下部には、底面311aと同一仮想平面内に１つの内面を有し、凹部内と外部とを連通する第２貫通孔314が設けられている。これらの第２貫通孔314は、長さ方向の一端が第１側壁311bの一部にかかり且つ他端が第２側壁311cの一部にかかる長方形状の開口を有し、開口の幅は接続電極３２ａ，３２ｂの厚さに対応している。さらに、凹部内において、第１及び第２側壁311b,311cには第２貫通孔314の両端から底面に沿って所定長さ延びる案内溝316が設けられている。これにより、接続電極３２ａ，３２ｂの挿入部が第２貫通孔314に嵌入し、且つ案内溝316に係止されて着脱可能に装着できるようになっている。
【００３６】
上記接続電極３２ａ，３２ｂは、主面が略Ｌ字形状をなした導電性の金属板からなり、その一端部321が第２貫通孔314に嵌入する形状をなし、他端部322が金属片１３ａ，１３ｂに容易に連結できる形状をなしている。
【００３７】
接続電極３３は、主面が長方形をなした導電性の金属板からなり、第１貫通孔312から貫通孔313に至る長さを有すると共にこれらの貫通孔312,313に嵌入する幅と厚さとを有している。
【００３８】
上記構成よりなる接続アダプタ３０に電池保護モジュール４０を装着するときは、図７に示すように、電池保護モジュール４０の端子電極406が接続アダプタ３０の凹部内に配置された接続電極３２ａ，３２ｂ，３３に対向するように電池保護モジュール４０を挿入する。これにより、電池保護モジュール４０の端子電極406は接続電極３２ａ，３２ｂ，３３に当接してこれらの間が導通する。尚、各端子電極406と接続電極３２ａ，３２ｂ，３３を半田付けによって接続しても良い。
【００３９】
上記電池保護モジュール４０は、図８に示すように、長方形をなすセラミック基板からなる印刷配線板401の一方の主面上に電池保護回路を構成する電子部品402a〜402jが実装され、印刷配線板401他方の主面には接続アダプタ３０の接続電極３２ａ，３２ｂ，３３に対応して５つの端子電極406が設けられている。
【００４０】
また、印刷配線板401上に設けられている電子部品402a〜402jは樹脂によって封止され、該封止樹脂によって樹脂層403が形成されている。この樹脂層403は、印刷配線板401の主面に等しい底面を有する直方体形状をなし、印刷配線板401と共に形成する直方体は接続アダプタ３０の凹部内に挿入できる大きさをなしている。
【００４１】
樹脂層403は、例えば、絶縁性、防水性又は耐熱性を有する透明の熱硬化性樹脂或いは紫外線硬化性樹脂からなる。耐薬品性を有する樹脂、例えば、電池に使用する電解液漏れによる化学変化を防止するような樹脂等、耐アルカリ性、耐酸性、耐食性のある樹脂を用いても良い。また、例えばフェライトのフィラーを含む樹脂でも良い。尚、印刷配線板401はセラミック基板に限らず、ガラスエポキシ基板、紙エポキシ基板、紙フェノール基板、フレキシブル基板等でも良い。
【００４２】
上記構成よりなる接続アダプタ３０によれば、筐体３１への接続電極の装着位置を変えたり、筐体３１に装着する接続電極の種類や形状を変えることによって、同じ電池保護モジュール４０を用いても容易に主装置との接続形態に対応することができる。例えば、図９及び図１０に示すように、接続電極３３に代えて、接続電極３３よりも長い接続電極３４を用いた接続アダプタ３０Ｂを構成することにより、前述した第２従来例（図３及び図４）の構成にも容易に対応することができる。
【００４３】
また、筐体３１の第３及び第４側壁311d,311eから突出する接続電極３２ａ，３２ｂを他の接続電極３４と同じ方向に突出させたいときは、図１１に示すように、接続電極３２ａ，３２ｂを除去して、第１側壁311bの両端部に設けられている第１貫通孔312のそれぞれに接続電極３４を装着した接続アダプタ３０Ｃを容易に構成することができる。
【００４４】
尚、筐体３１の底面311aに、両端の接続電極３２ａ，３２ｂに対応する開口部を形成しても良い。
【００４５】
また、図１２に示すように、筐体３１の側壁に案内用突起317を設けた接続アダプタ３０Ｄを構成し、案内用突起317に対応する案内溝407を設けた電池保護モジュール４０Ｂを形成することにより、接続アダプタ３０Ｄへの電池保護モジュール４０Ｂの誤装着を防止することができる。
【００４６】
また、筐体３１の第３及び第４側壁311d,311eの上端部に、接続アダプタ３０に装着された電池保護モジュール４０の脱落を防止すると共に端子電極406と接続電極３２ａ，３２ｂ，３３とを密着させるための突起等からなる係止部を設けても良い。
【００４７】
次に、本発明の第２実施形態を説明する。
【００４８】
図１３は第２実施形態における接続アダプタ３０Ｅを示す外観斜視図、図１４はその分解斜視図である。図において、前述した第１実施形態と同一構成部分は同一符号をもって表しその説明を省略する。また、第２実施形態と第１実施形態との相違点は、第１実施形態の筐体３１に代えて、第１側壁311bの両端部のそれぞれから第３側壁311d或いは第４側壁311dに連続して形成された第３貫通孔318が形成されている筐体３１Ｃを備えたことである。
【００４９】
即ち、筐体３１Ｃに形成されている第３貫通孔318は、第１側壁311bに形成されている貫通孔318aと第３側壁311d及び第４側壁311eに形成されている貫通孔318bとを有し、これらの貫通孔318a,318bが連結されて構成されている。第１側壁311bに形成されている貫通孔318aは、第１実施形態において第１側壁311bの端部に形成されていた第１貫通孔312を含む位置に形成されている。
【００５０】
また、第３側壁311d及び第４側壁311eに形成されている貫通孔318bは、第１側壁311bと第２側壁311cの間の中央まで第１側壁311b側から延ばして形成されている。
【００５１】
第３側壁311d側の第３貫通孔318には接続電極３６ａが装着され、第４側壁311e側の第３貫通孔318には接続電極３６ｂが装着されている。これらの接続電極３６ａ，３６ｂは、第１側壁311bの外側に突出する第１突出部361と、第３側壁311d或いは第４側壁311eの外側に突出する第２突出部362と、これら第１及び第２突出部361,362が交わる部分であり且つ第３貫通孔318に嵌入される挿入部363とを有する導電性の金属板からなる。
【００５２】
また、挿入部363の先端部は、接続電極３６ａ，３６ｂが第３貫通孔318に嵌入されたときに、挿入部363の先端部が第２側壁311cに設けられた貫通孔313に嵌入するような形状をなしている。
【００５３】
第１側壁311bに設けられている３つの第１貫通孔312には前述した接続電極３４が嵌入されて、第１貫通孔312から接続電極３４の端部が外部に突出している。
【００５４】
上記構成の接続アダプタ３０Ｅによれば、接続電極３６ａ，３６ｂの第１突出部361と第２突出部362とを介して、電池保護モジュール４０の両端部に設けられた端子電極406を主装置に接続可能になる。
【００５５】
また、図１５及び図１６に示すように、端子電極３６ａ，３６ｂに代えて、端子電極３６ａ，３６ｂにおける第１突出部361を除去した形状をなす端子電極３７ａ，３７ｂを筐体３１Ｃに装着した接続アダプタ３０Ｆを構成することも可能である。さらに、図１７に示すように、端子電極３６ａ，３６ｂに代えて、端子電極３４を第１側壁311b側から挿入して筐体３１Ｃに装着した接続アダプタ３０Ｇを構成することも容易に可能である。
【００５６】
尚、前述した各実施形態は本願発明の一具体例に過ぎず本願発明がこれらの実施形態のみに限定されることはない。例えば、上記実施形態では、ハイブリッドモジュールとして電池保護モジュールを一例として説明したが、他種のハイブリッドモジュールに対しても本発明の接続アダプタによって同様の効果を得ることができることは言うまでもない。
【００５７】
また、上記実施形態における筐体３１〜３１Ｃの形状及び各接続電極３２〜３７の形状は、ハイブリッドモジュールと主装置との接続形態によって適宜設定することが好ましいことは言うまでもないことである。
【００５８】
【発明の効果】
以上説明したように本発明の請求項１乃至請求項６に記載のハイブリッドモジュール用接続アダプタによれば、筐体に装着する接続電極の装着位置を変えたり接続電極の形状を変えることによって、同じハイブリッドモジュールを用いて主装置との間の様々な接続形態に容易に対応することができる。従って、ハイブリッドモジュールの設計変更を行うことなく主装置との接続のための端子電極の配置を変更することができる。これにより、例えば電池パックに用いる電池保護モジュール用の接続アダプタを構成すれば、異なる多種の電池パックが存在しても種類毎に電池保護モジュールを設計して製造することなく前記接続アダプタを用いることにより同じ電池保護モジュールで複数種の電池パックに対応することができる。このため、ハイブリッドモジュールの製造及びその管理が煩雑になることがなく、さらに製造コストの削減も図ることができる。
【図面の簡単な説明】
【図１】  本発明の第１実施形態における電池パックを示す分解斜視図
【図２】  第１従来例の電池パックを示す分解斜視図
【図３】  第２従来例の電池パックを示す分解斜視図
【図４】  第２従来例における電池パックと主装置との接続状態を示す要部側断面図
【図５】  本発明の第１実施形態におけるハイブリッドモジュール用接続アダプタを底面側から見た外観斜視図
【図６】  本発明の第１実施形態におけるハイブリッドモジュール用接続アダプタを凹部側から見た分解斜視図
【図７】  本発明の第１実施形態におけるハイブリッドモジュール用接続アダプタへの電池保護モジュールの装着を説明する図
【図８】  本発明の第１実施形態における電池保護モジュールを示す斜視図
【図９】  本発明の第１実施形態におけるハイブリッドモジュール用接続アダプタの構成変更例を示す分解斜視図
【図１０】  本発明の第１実施形態におけるハイブリッドモジュール用接続アダプタの構成変更例を示す外観斜視図
【図１１】  本発明の第１実施形態におけるハイブリッドモジュール用接続アダプタの他の構成変更例を示す外観斜視図
【図１２】  本発明の第１実施形態におけるハイブリッドモジュール用接続アダプタの他の構成変更例を示す外観斜視図
【図１３】  本発明の第２実施形態におけるハイブリッドモジュール用接続アダプタを凹部側から見た外観斜視図
【図１４】  本発明の第２実施形態におけるハイブリッドモジュール用接続アダプタを凹部側から見た分解斜視図
【図１５】  本発明の第２実施形態におけるハイブリッドモジュール用接続アダプタの構成変更例を示す外観斜視図
【図１６】  本発明の第２実施形態におけるハイブリッドモジュール用接続アダプタの構成変更例を示す分解斜視図
【図１７】  本発明の第２実施形態におけるハイブリッドモジュール用接続アダプタの他の構成変更例を示す外観斜視図
【符号の説明】
１０…電池パック、１１ａ，１１ｂ…ケーシング、111…開口部、１２…電池セル、１３ａ，１３ｂ…金属タブ、３０，３０Ｂ〜３０Ｇ…接続アダプタ、３１…筐体、311a…底面、311b…第１側壁、311c…第２側壁、311d…第３側壁、311e…第４側壁、312…第１貫通孔、313…貫通孔（係止部）、314…第２貫通孔、315…開口部、316…案内溝、317…案内用突起、318…第３貫通孔、３２ａ，３２ｂ，３３，３４，３６ａ，３６ｂ，３７ａ，３７ｂ…接続電極、４０…電池保護モジュール、401…印刷配線板、402a〜402j…電子部品、403…樹脂層、406…端子電極。
【図１】
0003827969.tif 000002
【図２】
0003827969.tif 000003
【図３】
0003827969.tif 000004
【図４】
0003827969.tif 000005
【図５】
0003827969.tif 000006
【図６】
0003827969.tif 000007
【図７】
0003827969.tif 000008
【図８】
0003827969.tif 000009
【図９】
0003827969.tif 000010
【図１０】
0003827969.tif 000011
【図１１】
0003827969.tif 000012
【図１２】
0003827969.tif 000013
【図１３】
0003827969.tif 000014
【図１４】
0003827969.tif 000015
【図１５】
0003827969.tif 000016
【図１６】
0003827969.tif 000017
【図１７】
0003827969.tif 000018